(57)【特許請求の範囲】
【請求項１】
試料中の対象成分の測定及び前記対象成分の測定用の基準液に関する精度試験を、センサを用いて実行する、外部の測定装置から、測定データを取得するデータ取得部と、
コードを読み取って、前記コードが表現している情報を取得するコード読取部と、
前記データ取得部によって取得された前記測定データに、前記コード読取部によって取得された前記情報を関連付けるデータ処理部と、
を備え、
前記コードとして、前記センサに設定された第１の使用期限を表現しているコードと、前記基準液に設定された第２の使用期限を表現しているコードと、が用いられる、場合において、
前記コード読取部が、前記第１の使用期限及び前記第２の使用期限を取得し、
前記データ処理部が、前記コード読取部によって取得された前記第１の使用期限及び前記第２の使用期限の少なくとも一方が、期限切れであるかどうかを判定し、期限切れである場合に、前記試料に関する測定データについての当該情報取得装置における処理が行われないようにする制御、及び外部への通知、のうちいずれか又は両方を実行する、
ことを特徴とする情報取得装置。
【請求項２】
前記外部の測定装置が、患者の状態を測定する医療用の測定装置である場合において、
前記コードとして、医療従事者を識別する識別子を表現しているコード、及び前記患者を識別する識別子を表現しているコードの少なくとも一方が更に用いられる、請求項１に記載の情報取得装置。
【請求項３】
前記データ取得部が、前記精度試験の実行時に前記測定装置が出力した前記基準液に関する測定データを取得した場合に、
前記データ処理部が、更に、前記基準液に関する測定データが設定条件を満たすかどうかを判定し、前記基準液に関する測定データが前記設定条件を満たさない場合に、前記試料に関する測定データについての当該情報取得装置における処理が行われないようにする制御、及び外部への通知、のうちいずれか又は両方を実行する、請求項１または２に記載の情報取得装置。
【請求項４】
前記データ処理部が、前記第１の使用期限及び前記第２の使用期限の両方が期限切れでなく、且つ、前記基準液に関する測定データが前記設定条件を満たす場合に、その旨を、外部に通知する、請求項３に記載の情報取得装置。
【請求項５】
前記データ処理部が、前記第１の使用期限及び前記第２の使用期限の両方が期限切れでなく、且つ、前記基準液に関する測定データが前記設定条件を満たす場合に、前記試料に関する測定データについての当該情報取得装置における処理が行われるように制御する、請求項３または４に記載の情報取得装置。
【請求項６】
前記コードとして、前記センサを識別するためのセンサ識別情報を表現しているコードが用いられる場合に、
前記コード読取部が、前記センサ識別情報を取得し、
前記データ処理部が、取得された前記センサ識別情報によって識別される前記センサが前記測定装置に使用可能かどうかを判定し、
前記センサが前記測定装置に使用可能である場合に、前記試料に関する測定データについての当該情報取得装置における処理が行われるように制御し、
前記センサが前記測定装置に使用できない場合は、前記試料に関する測定データについての当該情報取得装置における処理が行われないようにする制御、及び外部への通知、のうちいずれか又は両方を実行する、請求項１〜５のいずれか１項に記載の情報取得装置。
【請求項７】
前記コード読取部が前記第１の使用期限を取得できない場合、前記コード読取部が前記第２の使用期限を取得できない場合、前記データ取得部が前記基準液に関する測定データを取得できない場合、及び前記データ取得部が前記試料に関する測定データを取得できない場合、のうち少なくとも一つの発生を条件に、
前記データ処理部が、前記試料に関する測定データについての当該情報取得装置における処理が行われないようにする制御、及び外部への通知、のうちいずれか又は両方を実行する、請求項３〜５のいずれか１項に記載の情報取得装置。
【請求項８】
当該情報取得装置が、品質管理モードを含む動作モードの切り替えによる動作が可能となるように構成され、
前記動作モードが、前記品質管理モードに設定された場合に、前記データ処理部が、前記コード読取部によって取得された前記第１の使用期限及び前記第２の使用期限の少なくとも一方が、期限切れであるかどうかを判定する、請求項１〜７のいずれか１項に記載の情報取得装置。
【請求項９】
前記コート読取部が、前記情報を取得できなかった場合に、前記データ処理部が、前記データ取得部によって取得された前記測定データに、ダミーデータを関連付ける、請求項１〜８のいずれか１項に記載の情報取得装置。
【請求項１０】
前記コード読取部が、表現されている前記情報が異なる、複数の前記コードを読み取って、前記コードそれぞれが表現している前記情報を取得し、
前記データ処理部が、前記測定データに、取得した複数の前記情報を関連付ける、請求項１〜９のいずれか１項に記載の情報取得装置。
【請求項１１】
前記コードとして、複数のバーコードが用いられ、前記複数のバーコードそれぞれの桁数が、当該バーコードによって表現される情報の種類に応じて規定されている、請求項１０に記載の情報取得装置。
【請求項１２】
外部からの情報の入力を受け付ける入力受付部を更に備え、
前記データ処理部が、前記測定データに、前記入力受付部によって受け付けられた情報を関連付ける、請求項１〜１１のいずれか１項に記載の情報取得装置。
【請求項１３】
試料中の対象成分の測定及び前記対象成分の測定用の基準液に関する精度試験を、センサを用いて実行する、測定装置と、情報取得装置とを備える、測定システムであって、
前記情報取得装置は、
前記測定装置から測定データを取得するデータ取得部と、
コードを読み取って、前記コードが表現する情報を取得するコード読取部と、
前記データ取得部によって取得された前記測定データに、前記コード読取部によって取得された前記情報を関連付けるデータ処理部とを備え、
前記コードとして、前記センサに設定された第１の使用期限を表現しているコードと、前記基準液に設定された第２の使用期限を表現しているコードと、が用いられる、場合において、
前記コード読取部が、前記第１の使用期限及び前記第２の使用期限を取得し、
前記データ処理部が、前記コード読取部によって取得された前記第１の使用期限及び前記第２の使用期限の少なくとも一方が、期限切れであるかどうかを判定し、期限切れである場合に、前記試料に関する測定データについての前記情報取得装置における処理が行われないようにする制御、及び外部への通知、のうちいずれか又は両方を実行する、
ことを特徴とする測定システム。
【請求項１４】
試料中の対象成分の測定及び前記対象成分の測定用の基準液に関する精度試験を、センサを用いて実行する、測定装置と、特定の情報を表現しているコードとを用いた、情報取得方法であって、
（ａ）前記測定装置から測定データを取得する、ステップと、
（ｂ）前記コードを読み取って、前記コードが表現する前記情報を取得する、ステップと、
（ｃ）前記（ａ）のステップで取得された前記測定データに、前記（ｂ）のステップで取得された前記情報を関連付ける、ステップと、
を有し、
前記コードとして、前記センサに設定された第１の使用期限を表現しているコードと、前記基準液に設定された第２の使用期限を表現しているコードと、が用いられる、場合において、
前記（ｂ）のステップにおいて、前記第１の使用期限及び前記第２の使用期限を取得し、
前記（ｃ）のステップにおいて、更に、前記（ｂ）のステップによって取得された前記第１の使用期限及び前記第２の使用期限の少なくとも一方が、期限切れであるかどうかを判定し、期限切れである場合に、前記試料に関する測定データについての処理が行われないようにする制御、及び外部への通知、のうちいずれか又は両方を実行する、
ことを特徴とする、情報取得方法。
【発明の詳細な説明】
【技術分野】
【０００１】
本発明は、測定装置で測定されたデータを取得する情報取得装置、それを用いた測定システム、及び情報取得方法に関する。
【背景技術】
【０００２】
近年、医療の現場では、患者の体調管理のため、患者に対して、例えば、血糖値、体温、脈拍、血圧等の種々の項目について測定が行われている。測定によって得られたデータは、患者毎にまとめられ、データベースへと格納され、医師による診断に利用される。とりわけ、血糖値は、一人の患者に対して、一日に何度も測定する必要があることから、データベースによる管理が重要なデータである。【０００３】
また、このようなデータ管理を行う場合、現場の医師又は医療スタッフは、測定によって得られたデータと、患者を識別するデータとを関連付ける処理、例えば、測定装置から取り出したデータに対して患者ＩＤ等を登録する処理を行う必要がある。但し、このような処理は、医師及び医療スタッフにとって負担となってしまう。このため、測定値と患者情報との両方を取得でき、そして、これらを関連付けて一つのデータとする、測定装置が提案されている（例えば、特許文献１及び２参照。）【０００４】
具体的には、特許文献１及び２は、バーコードリーダを備えた測定装置を開示している。特許文献１及び２に開示された測定装置は、血糖値計であり、血液サンプルが滴下されたセンサが挿入されるスロットを備え、センサがスロットに挿入されると、血糖値の測定を実行する。また、特許文献１及び２に開示された測定装置は、バーコードリーダを備えており、バーコードで表現されたデータを取得することができる。バーコードで表現されたデータとしては、測定データに関連するデータ、例えば、患者ＩＤ、オペレータ（医師又は医療スタッフ）ＩＤ等が挙げられる。【０００５】
更に、特許文献１及び２に開示された測定装置は、センサから取得した血糖値と、バーコードリーダから読み取った患者ＩＤ等とを一つのデータとし、これを、データベースとして機能する外部のコンピュータに送信することができる。とりわけ、特許文献１は、測定装置用のドッキングステーションを開示している。ドッキングステーションは、測定装置が接続されると、自動的にデータを取り出し、取り出したデータを外部のコンピュータへと送信する機能を備えている。この場合、医師又は医療スタッフは、全ての測定が終了した測定装置をドッキングステーションに接続するだけで良い。【０００６】
また、特に、特許文献１は、バーコードで表現されるデータが、センサの有効期限である例についても開示している。この例では、測定装置は、読み取られた有効期限から、センサが有効かどうかを判定し、有効でない場合は、測定装置の操作者に警告を行う。この結果、センサの有効期限の超過による測定不良を抑制することができる。
【先行技術文献】
【特許文献】
【０００７】
【特許文献１】特表２００２−５２１６９２号公報
【特許文献２】特表２００３−５２６１０８号公報
【発明の概要】
【発明が解決しようとする課題】
【０００８】
上述した特許文献１又は２に開示された測定装置を用いれば、医師及び医療スタッフにおける負担を軽減することができる。しかしながら、特許文献１及び２に開示された測定装置には以下の問題がある。【０００９】
先ず、医療機関及び患者の自宅で使用される測定装置を、特許文献１又は２に開示された測定装置に置き換える必要があり、余分なコストが発生するという問題がある。また、特許文献１又は２に開示された測定装置は、バーコードリーダを備えない従来からの測定装置に比べて値段が高いという問題もある。更に、測定装置の大きさ及び重量が増大するため、操作性が悪いという問題も発生する。【００１０】
更に、特許文献１は、センサの有効期限に基づいて、操作者に警告を発することで、測定不良を抑制する技術を開示しているが、この技術のみでは、測定結果が不良となる事態の回避は不十分である。【００１１】
本発明の目的の一例は、上記問題を解消し、既存の測定装置を利用でき、且つ、測定データとそれに関連するデータとの関連付けを簡単に実行できるようにし得る、情報取得装置、それを用いた測定システム、及び情報取得方法を提供することにある。
【課題を解決するための手段】
【００１２】
上記目的を達成するため、本発明における情報取得装置は、外部の測定装置から測定データを取得するデータ取得部と、コードを読み取って、前記コードが表現している情報を取得するコード読取部と、前記データ取得部によって取得された前記測定データに、前記コード読取部によって取得された前記情報を関連付けるデータ処理部と、を備えていることを特徴とする。【００１３】
上記特徴により、本発明における情報取得装置によれば、例えば、情報取得装置に適合した構成（情報取得装置とのデータ通信を可能にする構成）を有する既存の測定装置及び新規な測定装置から測定データを取得できる。また、例えば、測定装置が、情報取得装置に適合した構成を有していない場合であっても、後付けの部品又は機器等を用いることによって、測定装置の測定データを情報取得装置に送ることができる場合は、本発明の情報取得装置は、このような測定装置から測定データを取得できる。【００１４】
そして、本発明における情報取得装置によれば、測定データに関連するデータ（例えば、医療従事者のＩＤ、患者のＩＤ、センサのロット番号等）を表現したバーコード等のコードを用意しておき、操作者が、このコードを、コード読取部を利用して読み取れば、測定データと関連するデータとは自動的に関連付けられる。このように本発明によれば、測定装置を新規に導入することなく、既存の測定装置を利用しつつ、データの関連付けを簡単に行うことができるので、コストの増大化も抑制される。【００１５】
上記本発明における情報取得装置においては、前記外部の測定装置が、患者の状態を測定する医療用の測定装置である場合において、前記コードとして、例えば、医療従事者を識別する識別子を表現しているコード、及び前記患者を識別する識別子を表現しているコードの少なくとも一方が用いられる。【００１６】
また、上記本発明における情報取得装置においては、前記外部の測定装置が、試料中の対象成分の測定と、前記対象成分の測定用の基準液に関する精度試験とを、センサを用いて実行でき、前記コードとして、更に、前記センサに設定された第１の使用期限を表現しているコードと、前記基準液に設定された第２の使用期限を表現しているコードと、が用いられる、場合において、前記コード読取部が、前記第１の使用期限及び前記第２の使用期限を取得し、前記データ処理部が、前記コード読取部によって取得された前記第１の使用期限及び前記第２の使用期限の少なくとも一方が、期限切れであるかどうかを判定し、期限切れである場合に、前記試料に関する測定データについての当該情報取得装置における処理が行われないようにする制御、及び外部への通知、のうちいずれか又は両方を実行する、態様であるのが好ましい。【００１７】
これにより、実際の測定結果が不良となってしまう事態の回避が図られる。また、従来、測定結果が不良となってしまった場合に、測定装置に問題があるのか、それともセンサ及び基準液に問題があるのかを特定することは、困難であったが、上記態様により、簡単に特定することが可能となる。【００１８】
本明細書において「当該情報取得装置における処理が行われないようにする制御」としては、情報取得装置に測定モードを実行させない制御、例えば、データ取得部に外部の測定装置からの測定データの取得を行わせないようにする制御、コード読取部にコードの読取りを行わせないようにする制御、データ処理部自身が情報の関連付けを行わないようにする制御、これらのうち２以上の制御を組み合わせた制御等が挙げられる。また、本明細書において「外部への通知」としては、情報取得装置の操作者への警告が挙げられる。【００１９】
また、上記態様においては、前記データ取得部が、前記精度試験の実行時に前記測定装置が出力した前記基準液に関する測定データを取得した場合に、前記データ処理部が、更に、前記基準液に関する測定データが設定条件を満たすかどうかを判定し、前記基準液に関する測定データが前記設定条件を満たさない場合にも、前記試料に関する測定データについての当該情報取得装置における処理が行われないようにする制御、及び外部への通知、のうちいずれか又は両方を実行する、態様であるのが好ましい。この場合は、より確実に実際の測定結果が不良となってしまう事態の回避が図られる。【００２０】
また、本発明において、基準液に関する測定データに関し、「設定条件」とは、対象成分の測定のための基準として基準液を使用できることを保証する条件を意味する。例えば、「設定条件」としては、基準液に含まれる対象成分の正確な濃度値が挙げられる。【００２１】
また、上記の場合においては、前記データ処理部が、前記第１の使用期限及び前記第２の使用期限の両方が期限切れでなく、且つ、前記基準液に関する測定データが前記設定条件を満たす場合に、その旨を外部に通知するようにするのが特に好ましい。【００２２】
更に、上記の場合においては、前記データ処理部が、前記第１の使用期限及び前記第２の使用期限の両方が期限切れでなく、且つ、前記基準液に関する測定データが前記設定条件を満たす場合に、前記試料に関する測定データについての当該情報取得装置における処理が行われるように制御するのも特に好ましい。【００２３】
また、本発明における情報取得装置は、前記コードとして、前記センサを識別するためのセンサ識別情報を表現しているコードが用いられる場合に、前記コード読取部が、前記センサ識別情報を取得し、前記データ処理部が、取得された前記センサ識別情報によって識別される前記センサが前記測定装置に使用可能かどうかを判定し、前記センサが前記測定装置に使用可能である場合に、前記試料に関する測定データについての当該情報取得装置における処理が行われるように制御し、前記センサが前記測定装置に使用できない場合は、当該情報取得装置における処理が行われないようにする制御、及び外部への通知、のうちいずれか又は両方を実行する、態様であるのも好ましい。【００２４】
更に、最初に述べた態様においては、前記コード読取部が前記第１の使用期限を取得できない場合、前記コード読取部が前記第２の使用期限を取得できない場合、前記データ取得部が前記基準液に関する測定データを取得できない場合、及び前記データ取得部が前記試料に関する測定データを取得できない場合、のうち少なくとも一つの発生を条件に、前記データ処理部が、前記試料に関する測定データについての当該情報取得装置における処理が行われないようにする制御、及び外部への通知、のうちいずれか又は両方を実行する、のが好ましい。【００２５】
また、最初に述べた態様においては、当該情報取得装置が、品質管理モードを含む動作モードの切り替えによる動作が可能となるように構成され、前記動作モードが、前記品質管理モードに設定された場合に、前記データ処理部が、前記コード読取部によって取得された前記第１の使用期限及び前記第２の使用期限の少なくとも一方が、期限切れであるかどうかを判定する、のが好ましい。このような動作モードの切り替えは、例えば、本発明における情報取得装置がコンピュータによって実現されているならば、コンピュータに組み込まれるプログラムによって実現することができる。【００２６】
上記本発明における情報取得装置は、前記コート読取部が、前記情報を取得できなかった場合に、前記データ処理部が、前記データ取得部によって取得された前記測定データに、ダミーデータを関連付ける、態様であるのも好ましい。また、上記本発明における情報取得装置は、前記情報取得装置が、外部に情報を提示するための表示部を備えている、態様であるのも好ましい。【００２７】
上記本発明における情報取得装置は、前記コード読取部が、表現されている前記情報が異なる、複数の前記コードを読み取って、前記コードそれぞれが表現している前記情報を取得し、前記データ処理部が、前記測定データに、取得した複数の前記情報を関連付ける、態様であるのが好ましい。この態様によれば、使用者（操作者及び管理者を含む）における利便性の向上が図られる。【００２８】
また、上記本発明における情報取得装置は、前記コードとして、複数のバーコードが用いられ、前記複数のバーコードそれぞれの桁数が、当該バーコードによって表現される情報の種類に応じて規定されている、態様であるのも好ましい。この態様によれば、データ管理が容易なものとなる。【００２９】
更に、上記本発明における情報取得装置は、前記データ取得部が、前記測定装置とは別の測定装置から新たな測定データを取得できる、態様であるのも好ましい。この態様によれば、測定装置自体に不具合が発生した場合に、不具合が発生した測定装置を他の測定装置に交換することができる。また、上記態様においては、前記測定装置の測定原理と前記別の測定装置の測定原理が異なっていても良い。更に、上記態様においては、前記データ処理部が、既に前記情報が関連づけられている前記測定データに、前記新たな測定データを更に関連付ける、のが好ましい。この場合も、使用者（操作者及び管理者を含む）における利便性の向上が図られる。【００３０】
上記本発明における情報取得装置は、外部からの情報の入力を受け付ける入力受付部を更に備え、前記データ処理部が、前記測定データに、前記入力受付部によって受け付けられた情報を関連付ける、態様であるのも好ましい。この態様による場合も、使用者（操作者及び管理者を含む）における利便性の向上が図られる。【００３１】
また、上記本発明における情報取得装置は、それと外部のコンピュータとのデータ通信を可能にするドッキングステーションに接続可能に構成されている、のが好ましい。この場合は、関連付が行われた測定データを簡単に収集及び管理することができる。【００３２】
また、上記目的を達成するため、本発明における測定システムは、測定装置と、情報取得装置とを備える、測定システムであって、前記情報取得装置は、前記測定装置から測定データを取得するデータ取得部と、前記コードが表現する情報を取得するコード読取部と、前記データ取得部によって取得された前記測定データに、前記コード読取部によって取得された前記情報を関連付けるデータ処理部とを備えている、ことを特徴とする。【００３３】
上記測定システムは、前記情報取得装置と外部のコンピュータとのデータ通信を可能にするドッキングステーションを更に備え、前記情報取得装置が、前記ドッキングステーションと接続可能に構成されている、態様であるのが好ましい。【００３４】
更に、上記目的を達成するため、本発明における情報取得方法は、測定装置と、特定の情報を表現しているコードとを用いた、情報取得方法であって、（ａ）前記測定装置から測定データを取得する、ステップと、（ｂ）前記コードを読み取って、前記コードが表現する前記情報を取得する、ステップと、（ｃ）前記（ａ）のステップで取得された前記測定データに、前記（ｂ）のステップで取得された前記情報を関連付ける、ステップと、を有することを特徴とする。【００３５】
上記本発明における情報取得方法においては、例えば、前記測定装置が、患者の状態を測定する医療用の測定装置である場合において、前記コードとして、医療従事者を識別する識別子を表現しているコード、及び前記患者を識別する識別子を表現しているコードの少なくとも一方が用いられる。【００３６】
上記本発明における情報取得方法は、前記測定装置が、試料中の対象成分の測定と、前記対象成分の測定用の基準液に関する精度試験とを、センサを用いて実行でき、前記コードとして、更に、前記センサに設定された第１の使用期限を表現しているコードと、前記基準液に設定された第２の使用期限を表現しているコードとが用いられる、場合において、（ｄ）前記第１の使用期限を表現しているコードと、前記第２の使用期限を表現しているコードとを読み取って、前記第１の使用期限及び前記第２の使用期限を取得する、ステップと、（ｅ）前記（ｄ）のステップで取得された前記第１の使用期限及び前記第２の使用期限が、期限切れであるかどうかを判定する、ステップと、を更に有し、前記（ｄ）及び前記（ｅ）のステップは、前記（ａ）及び前記（ｂ）のステップの実行前に実行され、そして、前記（ｅ）のステップで前記第１の使用期限及び前記第２の使用期限の少なくとも一方が期限切れと判定された場合に、前記（ａ）のステップから前記（ｃ）のステップまでのうち少なくとも１つの実行の中止、及び外部への通知、のいずれか又は両方が実行される、態様であるのが好ましい。更に、上記態様では、前記（ｅ）のステップで前記第１の使用期限及び前記第２の使用期限の少なくとも一方が期限切れと判定された場合に、前記（ａ）のステップと前記（ｂ）のステップとのうち少なくとも一方の実行の中止、及び外部への通知、のうちいずれか又は両方が実行される、のが特に好ましい。【００３７】
また、上記態様においては、（ｆ）前記精度試験の実行時に前記測定装置が出力した前記基準液に関する測定データを取得する、ステップと、（ｇ）前記（ｆ）のステップで取得された前記基準液に関する測定データが設定条件を満たすかどうかを判定する、ステップと、を更に有し、前記（ｆ）及び前記（ｇ）のステップは、前記（ａ）のステップ及び前記（ｂ）のステップの実行前に実行され、そして、前記（ｇ）のステップで、前記（ｆ）のステップで取得された測定データが前記設定条件を満たさないと判定された場合に、前記（ａ）のステップから前記（ｃ）のステップまでのうち少なくとも一つの実行の中止、及び外部への通知、のうちいずれか又は両方が実行される、のが特に好ましい。【００３８】
更に、上記の場合は、（ｈ）前記（ｅ）のステップで前記第１の使用期限及び前記第２の使用期限の両方が期限切れでないと判定され、且つ、前記（ｇ）のステップで前記設定条件が満たされていると判定された場合に、その旨を、外部に通知する、ステップを更に有する、のが好ましい。【００３９】
また、上記の場合は、前記（ｅ）のステップで期限切れでないと判定され、且つ、前記（ｇ）のステップで前記設定条件が満たされていると判定された場合にのみ、前記（ａ）〜（ｃ）のステップが実行される、のが好ましい。【００４０】
また、上記本発明における情報取得方法は、前記コードとして、前記センサを識別するためのセンサ識別情報を表現しているコードが用いられる場合に、（ｊ）前記センサ識別情報を表現しているコードを読み取って、前記センサ識別情報を取得する、ステップと、（ｋ）前記（ｊ）のステップで取得された前記センサ識別情報によって識別される前記センサが前記測定装置に使用可能かどうかを判定する、ステップと、を更に有し、前記（ｊ）及び前記（ｋ）のステップは、前記（ａ）のステップ及び前記（ｂ）のステップの実行前に実行され、そして、前記（ｋ）のステップで、前記センサが前記測定装置に使用可能であると判定された場合に、前記（ａ）〜前記（ｃ）のステップが実行され、前記（ｋ）のステップで、前記センサが前記測定装置に使用可能でないと判定された場合に、前記（ａ）のステップから前記（ｃ）のステップまでのうち少なくとも一つの実行の中止、及び外部への通知、のうちいずれか又は両方が実行される、態様であるのも好ましい。更に、この態様では、前記（ｋ）のステップで、前記センサが前記測定装置に使用可能でないと判定された場合に、前記（ａ）のステップと前記（ｂ）のステップとのうち少なくとも一方の実行の中止、及び外部への通知、のうちいずれか又は両方が実行される、のが特に好ましい。【００４１】
また、最初に述べた態様では、前記（ｄ）のステップで前記第１の使用期限を取得できない場合、前記（ｄ）のステップで前記第２の使用期限を取得できない場合、及び前記（ｆ）のステップで前記基準液に関する測定データを取得できない場合、のうち少なくとも一つの発生を条件に、前記（ａ）のステップから前記（ｃ）のステップまでのうち少なくとも一方の実行の中止、及び外部への通知、のうちいずれか又は両方が実行される、のも好ましい。更に、上記の一つの発生を条件に、前記（ａ）のステップと前記（ｂ）のステップとのうち少なくとも一方の実行の中止、及び外部への通知、のうちいずれか又は両方が実行される、のが特に好ましい。【００４２】
また、上記本発明における情報取得方法は、前記（ｂ）のステップで、前記情報を取得できなかった場合に、前記（ｃ）のステップにおいて、前記（ａ）のステップで取得された前記測定データに、ダミーデータを関連付ける、態様であるのも好ましい。【００４３】
更に、上記本発明における情報取得方法は、前記（ｂ）のステップで、表現されている前記情報が異なる複数の前記コードを読み取って、前記コードそれぞれが表現する前記情報を取得し、前記（ｃ）のステップで、前記測定データに、取得した複数の前記情報を関連付ける、態様であるのも好ましい。【００４４】
この場合、前記コードとして、複数のバーコードが用いられ、前記複数のバーコードそれぞれの桁数が、当該バーコードによって表現される情報の種類に応じて規定されているのが、更に好ましい。【００４５】
更に、上記本発明における情報取得方法は、複数の前記測定装置が用いられる場合において、前記（ａ）のステップで、複数の前記測定装置それぞれから、前記測定データを取得し、前記（ｃ）のステップで、複数の前記測定装置から取得された前記測定データそれぞれを、前記（ｂ）のステップで取得された、同一の前記情報に関連付ける、態様であるのも好ましい。【００４６】
上記本発明における情報取得方法は、（ｌ）外部からの情報の入力を受け付ける、ステップを更に有し、前記（ｃ）のステップで、前記測定データに、前記（ｌ）のステップで受け付けられた情報を関連付ける、態様であるのも好ましい。【００４７】
また、上記本発明における情報取得方法は、（ｍ）前記（ｃ）のステップで前記情報が関連付けられた測定データを、外部のコンピュータに転送する、ステップを更に有している、態様であるのも好ましい。【００４８】
更に、上記目的を達成するため、本発明における第１のプログラムは、対象成分の測定を行う測定ユニット、特定の情報を表現しているコード、及び前記コードを読み取り可能なコード読取ユニットを用いた情報の取得を、コンピュータによって実行するためのプログラムであって、前記コンピュータに、（ａ）前記測定ユニットから測定データを取得する、ステップと、（ｂ）前記読取ユニットに前記コードの読み取りを実行させ、前記コードが表現する前記情報を取得する、ステップと、（ｃ）前記（ａ）のステップで取得された前記測定データに、前記（ｂ）のステップで取得された前記情報を関連付ける、ステップと、を実行させることを特徴とする。【００４９】
また、本発明は、上記目的以外に、測定結果が不良となる事態を回避し得る、測定装置、その品質管理方法、及びこれらを実現するためのプログラムを提供することを第２の目的としていても良い。【００５０】
上記第２の目的を達成するため、本発明における測定装置は、試料中の対象成分の測定と、前記対象成分の測定用の基準液に関する精度試験とを、センサを用いて実行でき、前記センサを用いた測定を実行し、測定データを取得する測定部と、コードを読み取って、前記コードが表現している情報を取得するコード読取部と、データ処理部とを備え、前記データ処理部が、下記（Ｉ）の機能、及び下記の（ＩＩ）の機能のうち少なくとも一方を有することを特徴とする。
（Ｉ）前記コードとして、前記センサに設定された第１の使用期限を表現しているコードと、前記基準液に設定された第２の使用期限を表現しているコードと、が用いられ、前記コード読取部が、前記第１の使用期限及び前記第２の使用期限を取得した場合に、前記第１の使用期限及び前記第２の使用期限が、期限切れであるかどうかを判定し、前記第１の使用期限および前記第２の使用期限の少なくとも一方が期限切れである場合に、前記測定部による、前記試料中の対象成分の測定が行われないようにする制御、及び外部への通知、のうちいずれか又は両方を実行する機能。
（ＩＩ）前記測定部が、前記精度試験を実行して、前記基準液に関する測定データを取得した場合に、取得された前記基準液に関する測定データが設定条件を満たすかどうかを判定し、前記基準液に関する測定データが前記設定条件を満たさない場合に、前記測定部による、前記試料中の対象成分の測定が行われないようにする制御、及び外部への通知、のうちいずれか又は両方を実行する機能。【００５１】
上記特徴により、本発明における測定装置によれば、測定結果が不良となる事態を回避できる。また、従来、測定結果が不良となってしまった場合に、測定装置に問題があるのか、それともセンサ及び基準液に問題があるのかを特定することは、困難であったが、上記態様により、簡単に特定することが可能となる。【００５２】
上記の態様では、前記データ処理部が、上記（Ｉ）の機能と上記（ＩＩ）の機能との両方を有し、前記第１の使用期限及び前記第２の使用期限の両方が期限切れでなく、且つ、前記基準液に関する測定データが前記設定条件を満たす場合に、前記測定部に対して前記試料中の対象成分の測定を実行させる、のが特に好ましい。【００５３】
また、上記本発明における測定装置は、前記コードとして、前記センサを識別するためのセンサ識別情報を表現しているコードが用いられる場合に、前記コード読取部が、前記センサ識別情報を取得し、前記データ処理部が、取得された前記センサ識別情報によって識別される前記センサが前記測定部において使用可能かどうかを判定し、前記センサが前記測定部において使用可能である場合に、前記測定部による、前記試料中の対象成分の測定が行われるように制御し、前記センサが前記測定装置に使用できない場合は、前記測定部による、前記試料中の対象成分の測定が行われないようにする制御、及び外部への通知、のうちいずれか又は両方を実行する、態様であるのも好ましい。【００５４】
更に、上記本発明における測定装置は、前記コード読取部が前記第１の使用期限を取得できない場合、前記コード読取部が前記第２の使用期限を取得できない場合、及び前記測定部が前記基準液に関する測定データを取得できない場合のうち少なくとも一つの発生を条件に、前記データ処理部が、前記測定部による、前記試料中の対象成分の測定が行われないようにする制御、及び外部への通知、のうちいずれか又は両方を実行する、態様であるのも好ましい。【００５５】
また、上記第２の目的を達成するため、本発明における品質管理方法は、試料中の対象成分の測定を行う測定装置に使用される、センサと、前記対象成分の測定用の基準液とを、品質管理するための、下記（ａ）のステップ、及び下記（ｂ）のステップのうち少なくとも一方を有することを特徴とする。
（ａ）特定の情報を表現しているコードを読み取り可能なコード読取ユニットを用いて、前記センサに設定された第１の使用期限を表現しているコードと、前記基準液に設定された第２の使用期限を表現しているコードとの読み取りを実行し、前記第１の使用期限及び前記第２の使用期限を取得し、データ処理ユニットを用いて、前記第１の使用期限及び前記第２の使用期限が、期限切れであるかどうかを判定し、前記第１の使用期限と前記第２の使用期限の少なくとも一方が期限切れと判定された場合に、前記データ処理ユニットにより、前記試料中の前記対象成分についての前記測定装置による測定を、許可しないようにする処理、及び外部への通知、のうちいずれか又は両方が実行される、ステップ。
（ｂ）前記センサを用いた測定を実行する測定ユニットによって、前記基準液に関する測定を実行し、データ処理ユニットを用いて、前記基準液に関する測定データが、設定条件を満たすかどうかを判定し、前記基準液に関する測定データが前記設定条件を満たさないと判定された場合に、前記データ処理ユニットにより、前記試料中の前記対象成分についての前記測定装置による測定を、許可しないようにする処理、及び外部への通知、のうちいずれか又は両方が実行される、ステップ。【００５６】
更に、上記態様においては、当該品質管理方法が、前記（ａ）のステップ及び前記（ｂ）のステップの両方を有し、前記（ａ）のステップにおいて、前記第１の使用期限及び前記第２の使用期限の両方が期限切れでないと判定され、且つ、前記（ｂ）のステップにおいて、前記基準液に関する測定データが前記設定条件を満たすと判定された場合にのみ、前記試料中の対象成分についての前記測定装置による測定を、許可する処理が行われる、のが特に好ましい。【００５７】
また、上記本発明における品質管理方法は、（ｃ）前記コード読取ユニットを用いて、前記センサを識別するためのセンサ識別情報を表現しているコードを読み取り、前記センサ識別情報を取得する、ステップと、（ｄ）前記（ｃ）のステップで取得された前記センサ識別情報によって識別される前記センサが前記測定装置に使用可能かどうかを判定する、ステップと、を更に有し、前記（ｄ）のステップで、前記センサが前記測定装置に使用可能であると判定された場合に、前記測定装置による、前記試料中の対象成分の測定が許可され、前記（ｄ）のステップで、前記センサが前記測定装置に使用可能でないと判定された場合に、前記試料中の対象成分についての前記測定装置による測定を、許可しない処理、及び外部への通知、のうちいずれか又は両方が実行される、態様とするのが好ましい。【００５８】
更に、上記本発明における品質管理方法は、前記（ａ）のステップで前記第１の使用期限を取得できない場合、前記（ａ）のステップで前記第２の使用期限を取得できない場合、及び前記（ｂ）のステップで前記基準液に関する測定データを取得できない場合、のうち少なくとも一つの発生を条件に、前記試料中の対象成分についての前記測定装置による測定を、許可しない処理、及び外部への通知、のうちいずれか又は両方が実行される、態様とするのも好ましい。【００５９】
更に、上記第２の目的を達成するため、本発明におけるプログラムは、試料中の対象成分の測定を行う測定装置に使用される、センサと、前記対象成分の測定用の基準液との、品質管理を、コンピュータによって実行するためのプログラムであって、前記コンピュータに、（ａ）前記センサを用いた測定を実行する測定ユニットに対して、前記基準液が滴下された前記センサを用いた測定を指示する、ステップと、（ｂ）特定の情報を表現しているコードを読み取り可能なコード読取ユニットに対して、前記センサに設定された第１の使用期限を表現しているコードと、前記基準液に設定された第２の使用期限を表現しているコードとの読み取りを指示し、前記第１の使用期限及び前記第２の使用期限を取得する、ステップと、（ｃ）前記（ｂ）のステップで取得された前記第１の使用期限及び前記第２の使用期限が、期限切れであるかどうかを判定する、ステップと、（ｄ）前記（ｃ）のステップで前記第１の使用期限及び前記第２の使用期限の少なくとも一方が期限切れと判定された場合に、前記試料が滴下された前記センサを用いた前記対象成分についての前記測定装置による測定を、許可しない処理、及び外部への通知、のうちいずれか又は両方を実行する、ステップと、を実行させることを特徴とする。
【発明の効果】
【００６０】
以上の特徴により、本発明によれば、既存の測定装置を利用でき、更に、測定データとそれに関連するデータとの関連付けをも簡単に実行することができる。
【図面の簡単な説明】
【００６１】
【図１】図１は、本発明の実施の形態１における情報取得装置の構成を示すブロック図である。
【図２】図２は、本発明の実施の形態１における情報取得装置の外観を示す斜視図である。
【図３】図３は、図２に示した情報取得装置に測定装置及びドッキングステーションを接続した状態を示す斜視図である。
【図４】図４（ａ）〜（ｃ）、それぞれは、本発明の実施の形態１において使用されるコードの一例を示す図である。図４（ａ）は識別情報を表現するコードを示し、図４（ｂ）は健康情報を表現するコードを示し、図４（ｃ）は使用期限情報を表現するコードを示す。
【図５】図５は、本発明の実施の形態１における情報取得装置を用いて操作者が実行する操作手順を示すフロー図である。
【図６】図６は、本発明の実施の形態１における情報取得装置の品質管理モード時の動作を示すフロー図である。
【図７】図７は、本発明の実施の形態１における情報取得装置の測定モード時の動作を示すフロー図である。
【図８】図８は、本発明の実施の形態２における情報取得装置の構成を示すブロック図である。
【図９】図９は、本発明の実施の形態２における情報取得装置を用いて操作者が実行する操作手順を示すフロー図である。
【図１０】図１０は、本発明の実施の形態２における情報取得装置の測定モード時の動作を示すフロー図である。
【図１１】図１１は、本発明の実施の形態３における測定装置の構成を示すブロック図である。
【図１２】図１２は、本発明の実施の形態３における測定装置の動作を示すフロー図である。
【発明を実施するための形態】
【００６２】
（実施の形態１）
以下、本発明の実施の形態１における、情報取得装置、測定システム、情報取得方法、及びプログラムについて、図１〜図７を参照しながら説明する。最初に、本実施の形態１における情報取得装置１０及び測定システム７０の構成について図１を用いて説明する。図１は、本発明の実施の形態１における情報取得装置の構成を示すブロック図である。
【００６３】
図１に示すように、情報取得装置１０は、測定装置２０と共に、測定システム７０を構成している。本実施の形態において、測定装置２０は、情報取得装置１０による測定データの読取が可能な構成を有するのであれば、既存の測定装置であっても良いし、新規な測定装置であっても良い。また、測定装置２０は、後付けの部品又は機器等を用いることで、情報取得装置１０による測定データの取得が可能となる測定装置であっても良く、更に、この場合も、既存の測定装置、及び新規な測定装置のいずれであっても良い。なお、「情報取得装置１０による測定データの読取が可能な構成」とは、例えば、情報取得装置１０とのデータ通信を可能にする構成をいう。
【００６４】
また、図１に示すように、情報取得装置１０は、データ取得部１１と、コード読取部１２と、データ処理部１３とを備えている。また、情報取得装置１０は、多様な種類の既存の測定装置２０からのデータを取得できるように構成されている。
【００６５】
データ取得部１１は、測定装置２０から測定データを取得する。コード読取部１２は、コード３１を読み取って、コード３１が表現している情報３２を取得する。データ処理部１３は、データ取得部１１によって取得された測定データに、コード読取部１２によって取得された情報３２を関連付ける。
【００６６】
このように、情報取得装置１０は、既存の測定装置２０から取得した測定データと、測定データに関連するデータとを簡単に関連付けることができる。情報取得装置１０によれば、背景技術の欄に示した特許文献１及び２に開示された測定装置と異なり、測定装置を新しく置き換える必要がなく、既存の測定装置２０を利用できるので、余分なコストの発生が抑制される。また、測定装置２０の大型化、及び重量の増大も抑制される。
【００６７】
ここで、情報取得装置１０及び測定システム７０の構成について更に具体的に説明する。本実施の形態１では、測定装置２０は、患者の状態を測定する医療用の測定装置であり、試料中の対象成分の測定と、対象成分の測定用の基準液に関する精度試験とを、センサを用いて実行できるように構成されている。
【００６８】
具体的には、測定装置２０は、試料２６が滴下されたセンサ２４を用いて対象成分の測定を実行する。また、測定装置２０は、試料２６の代わりに基準液２７が滴下されたセンサ２５を用いることで、精度試験を実行することもできる。
【００６９】
「基準液」は、測定装置による測定精度を確保するために、測定基準として使用される液であり、例えば、予め設定された量の対象成分を含む液である。よって、基準液２７が滴下されたセンサ２５を用いて、測定装置２０による測定を実行し、得られた測定結果と予め設定された条件（設定条件）とを対比すれば、測定装置の測定精度を判定することができる。
【００７０】
具体的には、図１において、測定装置２０は、血糖値計である。この場合、試料２６としては、患者から採取した血液が用いられる。また、基準液２７としては、設定量のブドウ糖を含むブドウ糖液が用いられる。図１において、センサ２４とセンサ２５とは、滴下される液が異なる以外は同一のものである。なお、本実施の形態で１は、試料２６のセンサ２４の滴下、及び基準液２７のセンサ２５への滴下は、センサ２４及び２５を測定装置２０に挿入してから行われる。但し、本実施の形態１は、この態様に限定されず、滴下が行われてから、センサ２４及び２５が測定装置２０に挿入される態様であっても良い。
【００７１】
また、通常、センサ及び基準液には、使用期限が設定されている。よって、測定結果を正確なものとするためには、期限切れでないセンサ及び基準液を使用して、測定を行う必要がある。使用期限については後述する。図１において、２１は、センサ２４又は２５が挿入されるセンサ挿入口を示し、２２は、測定装置２０の表示画面を示している。
【００７２】
本実施の形態１において、測定装置２０の種類は特に限定されるものではない。測定装置２０の他の例としては、液体クロマトグラフィ法、またはＨＰＬＣ法などによってＨｂＡ１ｃ（グリコヘモグロビン）を測定する測定装置が挙げられる。また、血糖とＨｂＡ１ｃとの両方を測定可能な装置も挙げられる。さらに、その他に、歩数計、体重計、心拍計、体脂肪計、血圧計、身長計、座高計等も挙げられる。
【００７３】
また、本実施の形態１では、情報取得装置１０は、更に、データ記憶部１４を備えており、データ処理部１３は、情報３２が関連付けられた測定データ（以下「関連付データ」という。）をデータ記憶部１４に記憶させる。そして、データ処理部１３は、例えば、一定時間毎など自動的に、又は操作者の指示に応じて、データ記憶部１４に記憶された関連付データをサーバコンピュータ４０に送信する。サーバコンピュータ４０も、測定システム７０を構成している。
【００７４】
更に、本実施の形態１では、情報取得装置１０は、外部に情報を提示するための表示部１６も備えている。表示部１６は、表示パネルおよびそれを制御するための回路によって構成されている。なお、ここでいう「情報」は、外部への提示の対象となる全ての情報を意味する。具体的には、「情報」としては、測定データ及び情報３２に加え、操作者に提示するメッセージ等が挙げられる。また、図１において、１、２、３、４は、後述する発光素子を示している。
【００７５】
ここで、図２及び図３を用いて、情報取得装置１０及び測定システム７０の外観について説明する。図２は、本発明の実施の形態１における情報取得装置の外観を示す斜視図である。図３は、図２に示した情報取得装置に測定装置及びドッキングステーションを接続した状態を示す斜視図である。
【００７６】
図２及び図３に示すように、情報取得装置１０は、搭載面１０ａに測定装置２０を搭載可能に構成されている。測定装置２０は、挟持部材１７及び１８と、これらと対向する位置に配置された挟持部材１９とで挟み込まれ、搭載面１０ａ上で保持されている。また、図２及び図３には図示されていないが、情報取得装置１０と測定装置２０とは、通信ケーブルによって接続されており、情報取得装置１０は通信ケーブルを介して測定データを取得している。
【００７７】
なお、本実施の形態１において、情報取得装置１０と測定装置２０との接続態様は、特に限定されず、両者は無線通信によって接続されていても良い。また、図２において、１６ａは表示画面を示し、１２ａはコード読取部１２のコード読取面を示している。図３において、２３は、通信ケーブルの差し込み口を示している。
【００７８】
また、図２に示すように、情報取得装置１０は、表示画面１６ａの傍に、複数の発光素子１〜４を備えている。本実施の形態１では、発光素子としては、発光ダイオードが用いられている。これら発光素子１〜４は、発光色が同じものであっても良いし、発光色が互いに異なるものであっても良い。
【００７９】
また、本実施の形態１において、発光素子１〜４それぞれの点灯、点滅及び消灯は、データ処理部１３（図１参照）によって、操作者による所定の操作に対応して行われている。データ処理部１３は、発光素子１〜４それぞれの点灯、点滅及び消灯により、操作者への操作完了の確認、情報取得装置１０またはセンサにおける不具合およびエラーの操作者への通知、情報取得装置の充電状態の操作者への通知を行う。
【００８０】
具体的には、データ処理部１３は、例えば、所定の操作が完了する前後で、いずれかの発光素子の発光状態を点滅から点灯に変化させることで、各操作が確実に完了したことを、操作者に通知する。また、データ処理部１３は、情報取得装置１０またはセンサに不具合またはエラーが生じた場合は、いずれかの発光素子を点灯させる。更に、データ処理部１３は、情報取得装置１０が充電完了状態である場合は、いずれかの発光素子を点灯させ、充電容量が閾値以下となった場合は、当該発光素子の発光状態を点灯から点滅に変化させる。
【００８１】
例えば、図２に示す発光素子１が、エラーの通知と充電状態の通知とに用いられるとする。この場合、データ処理部１３は、情報取得装置１０またはセンサに何らかの不具合があることを検知すると、消灯状態にある発光素子１を点灯させる。
【００８２】
また、発光素子２が、測定者ＩＤ（図４（ａ）参照）の読取操作の完了確認に用いられ、発光素子３が、患者ＩＤの読取操作の完了確認に用いられ、発光素子４が、測定データの受信の完了確認に用いられるとする。
【００８３】
この場合、データ処理部１３は、コード読取部１２が測定者ＩＤの読み取りを待ち受けている状態にあるときは、発光素子２を点滅させる。そして、この状態で、コード読取部１２（図１参照）において適切に測定者ＩＤの読み取り操作が完了すると、データ処理部１３は、発光素子２を点灯させる。
【００８４】
また、データ処理部１３は、コード読取部１２が患者ＩＤの読み取りを待ち受けている状態にあるときは、発光素子３を点滅させる。そして、この状態で、コード読取部１２において適切に患者ＩＤの読み取り操作が完了すると、データ処理部１３は、発光素子３を点灯させる。
【００８５】
その後、データ処理部１３は、データ取得部１１が測定データの取得を待ち受けている状態にあるときは、発光素子４を点滅させる。この状態で、データ取得部１１において適切に測定データの取得が完了すると、データ処理部１３は、発光素子４を点灯させる。
【００８６】
このように、データ処理部１３が、操作者による所定の操作に対応して、発光素子１〜４の点灯、点滅および消灯を実行すれば、操作者は、各操作が適切に完了したか否かを簡単に確認することができる。なお、各発光素子と用途との対応関係は、固定されていても良いし、ソフトウェアの書き換えによって変更可能であっても良い。
【００８７】
更に、情報取得装置１０は、操作などに応じて、表示画面１６ａに必要な情報を表示するが、表示画面１６ａの大きさには制約があることから、一度に表示できない情報については、表示画面１６ａの垂直方向または縦方向にスクロールさせて表示することができる。
【００８８】
加えて、情報取得装置１０は、加速度センサが内蔵されている場合は、それによって自身の向きを検出し、検出した向きに応じて、表示画面１６ａに表示される情報の向きを調整することもできる。この場合は、操作者は、情報取得装置１０をどのように保持していても、正確に情報を読み取ることができ、便利である。
【００８９】
また、このように向きを変えて表示できるようにすれば、例えば、複数の測定装置間で、その表示画面における測定値等の表示方向が異なる場合に、情報読取装置１０の表示部１６における表示の向きを、装着されている測定装置２０における測定値の表示の向きと一致させることができ、便利である。
【００９０】
また、上記の表示を可能にするため、情報読取装置１０のデータ記憶部１４（図１参照）には、各測定装置を特定するための識別情報と、各測定装置におけるデータ表示の向きに関する情報とを対応付けたテーブルとが格納される。他方、測定装置２０には、当該測定装置２０を特定するための識別情報を、無線または有線によって出力する機能が付与される必要がある。
【００９１】
本実施の形態１では、測定装置２０からの識別情報の送信は、測定装置２０が、識別情報を付与した測定データを出力することによって実現できる。具体的には、図３の例では、測定装置２０の差込口２３に、情報読取装置１０に設けられた通信ケーブルを挿入することより、測定装置２０と情報読取装置１０とは電気的に接続され、両者の間でデータ通信が可能となる。そして、この状態で、測定装置２０から情報読取装置１０に、測定データと共に、当該測定装置２０を特定する識別情報が送信される。
【００９２】
その後、データ取得部１１（図１参照）は、取得データと共に識別情報を取得すると、両者をデータ処理部１３（図１参照）に入力する。データ処理部１３は、識別情報を受け取ると、データ記憶部１４に格納されているテーブルを参照して、受け取った識別情報に対応する表示の向きを特定する。そして、データ処理部１３が、表示部１６に対して、特定した向きを指示すると、表示部１６は、表示画面１６ａ上に、特定した向きでデータ表示を行う。表示部は、指示された向きで、データ表示を行う。
【００９３】
更に、図３に示すように、本実施の形態１においては、情報取得装置１０とサーバコンピュータ４０との接続を容易にするため、ドッキングステーション５０が利用されている。ドッキングステーション５０は、通信ケーブル５１を介してサーバコンピュータ４０に接続されている。また、ドッキングステーション５０は、情報取得装置１０の通信インタフェースと簡単に接続できるコネクタ（図３において図示せず）を備えている。よって、操作者は、情報取得装置１０をドッキングステーション５０に取り付けるだけで、情報取得装置１０とサーバコンピュータ４０とを接続することができ、情報取得装置１０に記憶された情報をサーバコンピュータ４０に転送できる。
【００９４】
また、ドッキングステーション５０は、情報取得装置１０に対して電力を供給する充電器として機能することもできる。更に、ドッキングステーション５０を充電器として機能させる場合、ドッキングステーション５０は、情報取得装置１０のバッテリの残存容量を判定し、残存容量が閾値以下である場合に初めて充電を開始する態様であるのが好ましい。
【００９５】
続いて、本実施の形態１において読み取り対象となるコードについて説明する。本実施の形態１において、コード読取部１２の読み取り対象となるコードとしては、例えば、バーコードに代表される一次元コード、及びＱＲコードに代表される二次元コード等が挙げられる。
【００９６】
コード読取部１２としては、本実施の形態１では、紙等の媒体又は表示画面に表示されているコードの読み取りが可能なコード読取ユニットが挙げられる。また、コードの読み取り方式は特に限定されず、例えば、光学式が挙げられる。図１の例では、コード３１としてバーコードが用いられており、コード読取部１２としては、バーコードリーダ・ユニットが用いられている。
【００９７】
また、本実施の形態１において、コードが表現する情報、即ち、測定データに関連付けられる情報（図１に示す情報３２）としては、例えば、図４（ａ）及び（ｂ）に示す、病院等で医療スタッフによって管理される情報が挙げられる。更に、本実施の形態１では、情報取得装置１０は、後述するように、測定結果が不良となるのを回避するための品質管理モードで動作でき、この場合、品質管理モードの実行のため、図４（ｃ）に示す情報を表現しているコードも利用される。また、図４（ａ）〜（ｃ）のコードは、紙等のシート状の媒体に印刷等されたものであっても良いし、表示画面に表示されたものであっても良い。
【００９８】
以下、各コードについて、図４（ａ）〜（ｃ）を用いて具体的に説明する。図４（ａ）〜（ｃ）、それぞれは、本発明の実施の形態１において使用されるコードの一例を示す図である。また、図４（ａ）〜（ｃ）の例では、コードは、バーコードであるが、本実施の形態１では、これに限定される趣旨ではない。
【００９９】
図４（ａ）は、識別情報を表現するコードを示している。識別情報は、測定データの出所を識別するための情報であり、図４（ａ）には、識別情報の一例として、患者を特定する情報（患者ＩＤ）と、実際に測定を行った測定者を特定する情報（測定者ＩＤ）とが示されている。
【０１００】
また、図４（ｂ）は、健康情報を表現するコードを示している。本実施の形態では、測定データに対して、識別情報だけでなく、健康情報も関連付けられる。健康情報は、測定対象となる患者の健康に関する全ての情報を意味している。具体例としては、図４（ｂ）に示す、「体重」及び「身長」といった身体的特徴を表す情報、測定データが取得されたときの患者の状態を示す「食前」及び「食後」といった情報が、挙げられる。また、これらの健康情報のうち、「食前」及び「食後」は、項目のみで構成されるが、「体重」及び「身長」は、項目と数値とで構成される。操作者は、後者について読み取りを行う場合は、項目のバーコードの読み込みを行った後、対応する数値のバーコードの読み込みを行うことになる。
【０１０１】
また、図４（ｃ）は、使用期限情報を表現するコードを示している。図４（ｃ）に示すように、本実施の形態１において、使用期限情報としては、センサの使用期限（以下「センサ使用期限」とする。）と、基準液の使用期限（以下「基準液使用期限」とする。）とが挙げられる。センサ使用期限を表現するバーコード、及び基準液使用期限を使用するバーコードは、後述する品質管理モードの実行時に読み取られる。
【０１０２】
次に、情報取得装置１０の操作手順について、操作者の観点から、図５を用いて説明する。図５は、本発明の実施の形態１における情報取得装置を用いて操作者が実行する操作手順を示すフロー図である。以下の説明においては、適宜図１〜図４を参酌する。
【０１０３】
また、操作者は、情報取得装置１０の動作モードを切り替えながら、操作を実行する。本実施の形態１では、情報取得装置１０において設定可能な動作モードは、上述した品質管理モードと、測定モードとの二つである。測定モードは、測定データと情報との関連付を実行するためのモードである。
【０１０４】
先ず、操作者は、情報取得装置１０の動作モードを品質管理モードに設定する。そして、図５に示すように、操作者は、測定装置２０のセンサ挿入口２１にセンサ２５を挿入し、そして、センサ２５の先端に基準液２７を滴下する（ステップＡ１）。また、例えば、ステップＡ１の実施前、又は実施後に、操作者は、測定装置２０を情報取得装置１０に配置し、更に、情報処理装置１０に設けられた通信ケーブル（図示せず）を、差込口２３に挿入することで、測定装置２０を情報取得装置１０に電気的に接続する（図３参照）。
【０１０５】
次に、操作者は、情報取得装置１０のコード読取面１２ａを、センサ使用期限を表現するコードと、基準液使用期限を表現するコードとにかざして、これらの読み取りを実行する（ステップＡ２）。
【０１０６】
次に、操作者は、測定装置２０を操作して精度試験を実行させる（ステップＡ３）。情報取得装置１０は、ステップＡ１〜Ａ３に示した操作者の操作が行われると、後述の図６に示すように、品質管理基準が満たされているかどうかの判断を実行する。そして、情報取得装置１０は、判断結果を、表示画面１６ａ（図２参照）に表示する。なお、情報取得装置１０の品質管理モードでの動作については、図６を用いて後述する。
【０１０７】
また、本実施の形態１においては、このような操作者による動作モードの設定が行われることから、情報取得装置１０は、例えば、操作者の操作によって、簡単に動作モードが切り替えられる構成（例えば、モード切替スイッチ）を備えているのが好ましい。更に、情報取得装置１０は、操作者が、動作モードを品質管理モードに設定した場合にのみ、操作者によるステップＡ１〜Ａ３の操作を受け付けるように構成されているのが特に好ましい。こうすることで、品質管理モードが設定されていない場合は、情報取得装置１０は、下記に示す測定モードにおける操作のみを受け付けることとなる。
【０１０８】
更に、本実施の形態１においては、上述のステップＡ１〜Ａ３の実行順序は、特に限定されるものではない。即ち、操作者は、例えば、センサ使用期限を表現するコードを読み取り、次いで、基準液使用期限を表現するコードを読み取った後、センサ２５の測定装置２０への装着及び基準液２７の滴下を行うことができる。また、この場合も、その後、情報取得装置１０は、後述の図６に示すように、基準液の測定データを取得し、次いで、品質管理基準が満たされているかどうかの判断を行う。
【０１０９】
次に、操作者は、表示画面１６ａを確認し、品質管理基準が満たされているかどうかを確認する（ステップＡ４）。ステップＡ４の結果、品質管理基準が満たされていない場合は、操作者は、新しいセンサ２５及び基準液を用いて、再度、ステップＡ１を実行する。
【０１１０】
ステップＡ４において、本実施の形態１では、例えば、情報取得装置１０は、センサ及び基準液のいずれか又は両方の使用期限が切れている場合、その旨を表示部１６の表示画面１６ａ（図２参照）に表示する。また、情報取得装置１０は、基準液が所定の濃度範囲内にない場合も、その旨を表示部１６の表示画面１６ａに表示することができる。また、本実施の形態１では、後述するように、情報取得装置１０は、品質管理基準が満たされていない場合は、そのことを操作者に通知するため、警告となる音又は光等を出力しても良い。この場合、操作者は、警告により、品質管理基準が満たされていないと判断する。
【０１１１】
一方、ステップＡ４の結果、品質管理基準が満たされている場合は、操作者は、センサ２５を排除し、代わりに、新しいセンサ２４を、測定装置２０の挿入口２１に挿入し、試料２６を滴下する（ステップＡ５）。また、ステップＡ５において、操作者は、情報取得装置１０の動作モードを測定モードに設定する。そして、操作者は、測定装置２０を操作して対象成分の測定を実行させる（ステップＡ６）。
【０１１２】
操作者が、上述したように、情報取得装置１０の動作モードを測定モードに設定すると、情報取得装置１０は、ステップＡ１〜Ａ３に示した操作を受け付けることができない状態となる。そして、情報取得装置１０は、ステップＡ５以降に示す操作のみを受け付けることができる状態となる。
【０１１３】
続いて、操作者は、情報取得装置１０のコード読取面１２ａを、図４（ａ）及び（ｂ）に示された各コードにかざして、関連付ける情報の読み取りを実行する（ステップＡ７）。本実施の形態１では、操作者は、例えば、患者ＩＤ、測定者ＩＤ、「食前」又は「食後」、「体重」、体重の値、「身長」、及び身長の値を対象として、コードの読み取りを実行する。
【０１１４】
なお、図５においては、ステップＡ７は、ステップＡ１〜Ａ６の実行後に実行されているが、本実施の形態１は、これに限定されず、ステップＡ７は、操作の開始（Ｓｔａｒｔ）から転送操作（後述のステップＡ８）を開始するまでの間であれば、いずれの段階で実行されても良い。ステップＡ７は、例えば、ステップＡ１〜Ａ３の前に実行されても良い。また、ステップＡ７の実行後に、ステップＡ５とステップＡ６とが実行されても良い。更に、本実施の形態１は、ステップＡ５の実行後に、ステップＡ７が実行され、続いてステップＡ６が実行される態様であっても良い。
【０１１５】
ステップＡ５〜Ａ７の実行が終了すると、情報取得装置１０は、測定データと情報との関連付けを実行する。これにより、情報取得装置１０のデータ記憶部１４には、関連付データが記憶される。なお、測定モードにおける情報取得装置１０の動作については、図７を用いて後述する。
【０１１６】
その後、操作者は、情報取得装置１０をドッキングステーション５０に取り付け、データ記憶部１４に記憶された関連付データの転送を実行する（ステップＡ８）。ステップＡ８の実行により、情報取得装置１０は、サーバコンピュータ４０に接続され、データ記憶部１４に記憶された関連付データをサーバコンピュータ４０に転送する。
【０１１７】
上述のステップＡ１〜Ａ８に示した操作を操作者が実行すると、測定装置２０で取得された測定データは、関連するデータと関連付けられ、そして、サーバコンピュータ４０へと自動的送られ、そこで管理される。また、操作者が、現在、情報取得装置１０に接続されている測定装置２０を、別の患者の測定装置２０に取り替えて、ステップＡ１〜Ａ８を実行すれば、別の患者の測定データも関連するデータと関連付けられ、その後、サーバコンピュータ４０へと送られる。
【０１１８】
次に、情報取得装置１０の動作について図６及び図７を用いて説明する。情報取得装置１０は、上述のとおり、品質管理モードと、測定モードとの２種類の動作モードで動作することができる。
【０１１９】
図６は、本発明の実施の形態１における情報取得装置の品質管理モード時の動作を示すフロー図である。図７は、本発明の実施の形態１における情報取得装置の測定モード時の動作を示すフロー図である。なお、本実施の形態１における情報取得方法の説明は、以下の情報取得装置１０の動作説明に代える。更に、以下の説明においては、適宜図１〜図４を参酌する。
【０１２０】
本実施の形態１では、下記に示すように、データ処理部１３は、品質管理モードにある時にのみ、コード読取部１２によって取得されたセンサ使用期限及び基準液使用期限の少なくとも一方が、期限切れであるかどうかを判定する。更に、本実施の形態１では、データ処理部１３は、基準液に関する測定データ（精度試験の結果）が設定条件を満たすかどうかも判定する。具体的には、「設定条件」としては、対象成分が所定の濃度範囲内であること、対象成分の濃度が正確な濃度値であること、等が挙げられる。
【０１２１】
また、上述しているように、データ処理部１３（情報取得装置１０）は、測定モードにある時にのみ、測定データに情報３２を関連付ける。このようなモードの切り替えは、例えば、後述するように情報取得装置１０がコンピュータによって実現されているならば、コンピュータに組み込まれるプログラムによって実現することができる。
【０１２２】
（品質管理モード）
最初に、図６を用いて、品質管理モードについて説明する。先ず、図６に示すように、データ処理部１３は、操作者が、情報取得装置１０の動作モードを品質管理モードに設定し、図５に示したステップＡ１〜Ａ３の操作を行うと、コード読取部１２からセンサ使用期限及び基準液使用期限（図４（ｃ）参照）を取得する（ステップＢ１）。続いて、データ処理部１３は、データ取得部１１から精度試験の結果を取得する（ステップＢ２）。
【０１２３】
次に、データ処理部１３は、センサ使用期限が期限内かどうかを判定する（ステップＢ３）。具体的には、データ処理部１３は、ステップＢ１で取得されたセンサ使用期限と現在の日時とを比較して、現在の日時がセンサ使用期限内であるかどうかを判定する。ステップＢ３の判定の結果、期限切れである場合は、データ処理部１３は、ステップＢ７を実行する。ステップＢ７については、下記に説明する。
【０１２４】
一方、ステップＢ３の判定の結果、期限内である場合は、データ処理部１３は、基準液使用期限が期限内かどうかを判定する（ステップＢ４）。具体的には、データ処理部１３は、ステップＢ１で取得された基準液使用期限と現在の日時とを比較して、現在の日時が基準液使用期限内であるかどうかを判定する。ステップＢ４の判定の結果、期限切れである場合も、データ処理部１３は、ステップＢ７を実行する。
【０１２５】
なお、ステップＢ１から下記に説明するステップＢ５までの各ステップの順序は、ステップＢ１の後にステップＢ３及びＢ４が実行され、ステップＢ２の後にステップＢ５が実行されるように設定されていれば良く、この条件が満たされる範囲内で、順序の入れ替えが可能である。例えば、データ処理部１３は、ステップＢ１、ステップＢ３及びステップＢ４の実行後に、ステップＢ２を実行し、次いでステップＢ５を実行することもできる。また、ステップＢ１の実行後に、ステップＢ４が実行され、その後に、ステップＢ３が実行されても良い。
【０１２６】
また、ステップＢ４の判定の結果、期限内である場合は、データ処理部１３は、ステップＢ２で得られた精度試験の結果が設定条件を満たしているかどうかを判定する（ステップＢ５）。ステップＢ５の判定の結果、精度試験の結果が設定条件を満たしていない場合も、データ処理部１３は、ステップＢ７を実行する。
【０１２７】
本実施の形態１においては、測定装置２０は、血糖値計であるため、設定条件としては、例えば、血糖値が所定の濃度範囲内にあること、及び血糖値の濃度値が正確な値であることが挙げられる。この所定の濃度範囲は、基準液の仕様に応じて適宜設定される。
【０１２８】
一方、ステップＢ５の判定の結果、精度試験の結果が設定条件を満たしている場合は、データ処理部１３は、品質管理基準が満たされていると判定し、表示画面１６ａ（図２参照）に、品質管理基準が満たされている旨を表示する（ステップＢ６）。また、ステップＢ６では、品質管理基準が満たされている旨の表示に加えて、又はそれに代えて、データ処理部１３は、試料２６に関する測定データ（センサ２４から得られた測定データ）についての情報取得装置１０における処理が行われるように制御を行うこともできる。このような態様とすれば、品質管理基準が満たされている場合にのみ、情報取得装置１０は、試料２６に関する測定データについての処理を行う。この結果、測定結果の不良が確実に抑制される。
【０１２９】
ここで、「試料２６に関する測定データについての処理」は、センサ２４を用いた測定が行われ、試料２６に関する測定データに対して、データ取得部１１、コード読取部１２、及びデータ処理部１３による処理が行われることを意味している。また、「情報取得装置１０における処理が行われるようにする制御」としては、例えば、データ取得部１１に外部の測定装置２０からの測定データを取得させる制御、コード読取部１２にコードの読取りを行わせる制御、データ処理部１３自身が情報の関連付けを行うようにする制御、およびこれらのうち２以上の制御を組み合わせた制御等が挙げられる。
【０１３０】
また、ステップＢ７では、データ処理部１３は、品質管理基準が満たされていないと判定し、例えば、表示部１６の表示画面１６ａ（図２参照）に、品質管理基準が満たされていない旨を表示する。また、データ処理部１３は、この処理に加え、又はこの処理に代えて、例えば、データ処理部１３は、試料２６に関する測定データについての情報取得装置１０における処理が行われないようにする制御を実行することもできる。本実施の形態１において、「試料２６に関する測定データについての情報取得装置１０における処理が行われないようにする制御」とは、情報取得装置１０における測定モードを実行させないようにする制御を意味する。
【０１３１】
本実施の形態１において、「情報取得装置１０における測定モードを実行させないようにする制御」としては、例えば、データ取得部１１に外部の測定装置２０からの測定データの取得を行わせないようにする制御、コード読取部１２にコードの読取りを行わせないようにする制御、データ処理部１３自身が情報の関連付けを行わないようにする制御、これらのうち２以上の制御を組み合わせた制御等が挙げられる。具体的には、データ処理部１３が、コード読取部１２に対して動作の停止を指示した場合は、結果、図５に示したステップＡ７が実行されないため、操作者は測定を行うことができない状態となり、測定結果が不良となる事態が回避される。
【０１３２】
更に、本実施の形態１においては、品質管理基準が満たされている旨及び品質管理基準が満たされていない旨は、表示部への表示によって外部に通知されているが、外部への通知は、この態様に限定されず、音の発生、光の点滅等によって行われても良い。特に、品質管理基準が満たされていない旨を通知する場合は、外部の通知は、警告となるように行うのが好ましい。
【０１３３】
また、本実施の形態１では、ステップＢ６及びＢ７の実行後、データ処理部１３は、例えば、品質管理基準が満たされていると判定してからの経過時間、及び測定装置２０が精度試験を実行した回数等を特定し、特定した値をデータ記憶部１４に記憶させることもできる。この場合、情報取得装置１０が、例えば、前回の精度試験からの経過時間と、精度試験を実行した回数とに基づき、精度試験が必要な時期を求め、求めた時期をメッセージとして操作者に通知するようにするのが好ましい。このような態様とすれば、測定の精度を維持し、正しい測定結果を得ることが容易となる。更に、後述するように、一台の情報取得装置１０が対応する測定装置２０が複数台存在する場合は、データ処理部１３は、測定装置毎に、経過時間及び回数等の記憶を行うことができる。
【０１３４】
本実施の形態１において、情報取得装置１０は、操作者が品質管理モードの設定を行わず、ステップＡ１〜Ａ３（図５参照）の操作を実行しなくても、測定モードを実行できるように構成されていても良い。即ち、情報取得装置１０は、上述のステップＢ２、ステップＢ３及びステップＢ４を実行しなくても、測定モードを実行できるように構成されていても良い。
【０１３５】
このような構成によれば、例えば、操作者がステップＡ１の操作を行い、測定装置２０が基準液２７についての測定データを取得した場合に、情報取得装置１０のデータ処理部１３は、データ取得部１１から、上記基準液についての測定データを取得することができる。そして、この場合、データ記憶部１４は、基準液についての測定データを記憶する。次いで、操作者がステップＡ５の操作を行うと、データ処理部１３は、データ記憶部１４に基準液についての測定データが既に記憶されているため、既に精度試験が完了しているとして、その後の操作を実行可能とする。
【０１３６】
このようにステップＢ２〜Ｂ４が実行されない態様は、操作者が、例えば、センサ及び基準液のパッケージ等に別途表示された使用期限情報、精度試験結果である測定値の適否、を自ら目視により確認するなどして、品質管理基準が満たされているかどうかを判断する場合に、有用である。また、上述した構成は、例えば、情報取得装置１０がコンピュータにより実現されている場合、コンピュータに組み込まれるプログラムによって実現することができる。
【０１３７】
（測定モード）
続いて、図７を用いて、測定モードについて説明する。先ず、図７に示すように、データ処理部１３は、操作者が図５に示したステップＡ５〜Ａ７の操作を行うと、データ取得部１１から測定装置２０の測定データを取得し（ステップＣ１）、コード読取部１２から読み取られた情報を取得する（ステップＣ２）。
【０１３８】
次に、データ処理部１３は、ステップＣ１で取得された測定データに、ステップＣ２で取得された情報を関連付ける（ステップＣ３）。ステップＣ２で取得された情報が複数の場合、ステップＣ３では、取得された複数の情報が測定データに関連付けられる。
【０１３９】
また、本実施の形態１では、コードとして、複数のバーコードを用いることができる。この場合、例えば、図４（ａ）〜（ｃ）に示すように、各バーコードの桁数は、バーコードによって表現される情報の種類に応じて規定できる。またこれにより、各バーコードについて、読み取りの際の順序を予め設定することもできる。但し、このような順序を予め設定するか否かは特に限定されるものではない。
【０１４０】
更に、各バーコードの桁数を情報の種類に応じて規定した場合は、ステップＣ３において、データ処理部１３は、コード読取部１２によって読み取られた各バーコードの桁数を、読み取られた際の順序で特定し、特定した順序が、予め設定された順序であるかどうかを判定しても良い。その際、データ処理部１３は、読み取られた際の順序が、予め設定された順序である場合にのみ、測定データに情報を関連付けても良い。このような態様とした場合は、データ処理部１３は、読み取られた順序から、情報の種類を特定できるため、データ記憶部１４における情報管理の容易化が図られる。なお、本実施の形態１は、このような態様には限定されない。
【０１４１】
次に、データ処理部１３は、ステップＣ３による関連付けによって得られた関連付データを、データ記憶部１４に記憶させる（ステップＣ４）。
【０１４２】
ところで、操作者が、例えば、ステップＡ７の読み取り操作を行わず、関連付ける情報の読み取りを行わなかったとする。この場合、ステップＣ３において、データ処理部１３は、ステップＣ１で取得された測定データに、ダミーデータを関連付けることができる。データ処理部１３にこのような処理を行わせた場合は、関連付ける情報が存在しないために、測定データが失われてしまう事態の発生を回避することができる。また、この場合は、データ処理部１３は、例えば、測定モードの完了後、関連付ける情報が得られ次第、測定データに、後から得られた情報を関連付けることもできる。
【０１４３】
続いて、データ処理部１３は、外部との接続が確立されているかどうかを判定する（ステップＣ５）。具体的には、データ処理部１３は、図５に示した、操作者によるステップＡ８の操作により、情報取得装置１０がドッキングステーション５０に取り付けられたかどうかを判定する。
【０１４４】
ステップＣ５での判定の結果、外部との接続が確立されていない場合は、データ処理部１３は、待機状態となる。一方、ステップＣ５での判定の結果、外部との接続が確立されている場合は、データ処理部１３は、データ記憶部１４に記憶されている関連付データをサーバコンピュータ４０へと転送する（ステップＣ６）。ステップＣ６の実行により、情報取得装置１０における処理は終了する。操作者は、測定装置２０を情報取得装置１０から取り外す。
【０１４５】
また、本実施の形態１において、操作者は他の測定装置を情報取得装置１０に取り付け、更に、情報取得装置１０に、ステップＢ１〜Ｂ６、及びステップＣ１〜Ｃ６を実行させることもできる。このとき、他の測定装置は、情報取得装置１０に適合可能なものであれば特に制限されず、別の患者の測定装置であっても良い。また、他の測定装置は、最初に対象となった測定装置と測定原理が異なった測定装置であっても良い。言い換えると、他の測定装置は、同一の患者が利用する他の種類の測定装置（血糖値計以外、例えば、心拍計、体脂肪計、血圧計等）であっても良い。
【０１４６】
また、同一の患者の他の種類の測定装置が用いられる場合は、データ処理部１３は、読み込まれた患者ＩＤに基づいて、先に記憶された同一の患者ＩＤが関連付けられている測定データの呼び出しを行うことができる。そして、データ処理部１３は、呼び出した先の測定データに、新たに取得された測定データを関連付けることができる。この結果、複数の測定データを関連付けて得られた関連付データが、サーバコンピュータ４０に転送されることになる。
【０１４７】
また、本実施の形態１におけるプログラムは、コンピュータに、図６に示すステップＢ１〜Ｂ７、及び図７に示すステップＣ１〜Ｃ６を実行させるプログラムであれば良い。このプログラムをコンピュータにインストールし、実行することによって、本実施の形態１における情報取得装置１０と情報取得方法とを実現することができる。この場合、コンピュータのＣＰＵ（Central Processing Unit）は、データ処理部１３として機能し、処理を行なう。また、コンピュータにおける外部接続用インタフェースが、データ取得部１１として機能し、コンピュータに接続されたバーコードリーダ等のコード読取ユニットが、コード読取部１２として機能する。更に、コンピュータに備えられたハードディスク等の記憶装置がデータ記憶部１４として機能する。
【０１４８】
なお、本実施の形態１におけるプログラムは、ステップＢ１〜Ｂ７、ステップＣ１〜Ｃ６の一部を実行しないように構築されていても良い。本実施の形態１におけるプログラムは、例えば、情報取得装置１０の動作の説明で述べたように、ステップＢ２、ステップＢ３及びステップＢ４が実行されてなくても、測定モードを実行するためのステップＣ１〜Ｃ６を実行できるように構築されていても良い。
【０１４９】
以上のように本実施の形態１によれば、上述したように、既存の測定装置２０を用いて、測定データとそれに関連するデータとの関連付けを簡単に行うことができる。また、一台の情報取得装置１０によって、複数の測定装置に対して品質管理を行うことができることから、特に、多数の測定装置を利用する医療機関に有用である。また、本実施の形態１における情報取得装置１０において、利用可能な測定装置の種類及び個数についての制限も特に存在していない。
【０１５０】
（実施の形態２）
次に、本発明の実施の形態２における、情報取得装置、測定システム、情報取得方法、及びプログラムについて、図８〜図１０を参照しながら説明する。最初に、本実施の形態２における情報取得装置６０及び測定システム７１の構成について図８を用いて説明する。図８は、本発明の実施の形態２における情報取得装置の構成を示すブロック図である。
【０１５１】
図８に示すように、情報取得装置６０は、図１に示した実施の形態１における情報取得装置１０の構成に加えて、更に入力受付部１５を備えている。入力受付部１５は、外部からの情報の入力を受け付けることができる。入力の態様としては、キーによる入力、他の機器からの有線又は無線による入力が挙げられる。また、情報取得装置６０においては、データ処理部１３は、測定データに、入力受付部１５によって受け付けられた情報を関連付けることもできる。
【０１５２】
つまり、本実施の形態２においては、情報取得装置６０は、コードから読み取った情報だけでなく、入力された情報も、測定データに関連付けることができる。本実施の形態２によれば、実施の形態１に比べ、情報の関連付のバリエーションを増加させることができ、操作者における利便性の更なる向上が図られる。
【０１５３】
なお、上述した点以外については、情報取得装置６０は、実施の形態１における情報取得装置１０と同様に構成されている。よって、本実施の形態２によれば、実施の形態１において述べた効果を全て得ることもできる。また、入力受付部１５によって受け付けられる情報は、特に限定されるものではい。例えば、図４（ｂ）に示した健康情報、特には数値を含む情報が挙げられる。更に、測定システム７１は、情報取得装置６０を備えている点を除き、実施の形態１における測定システム７０と同様に構成されている。また、図８においては、図１に示した発光素子１〜４の図示は、省略している。
【０１５４】
次に、情報取得装置６０の操作手順について、操作者の観点から、図９を用いて説明する。図９は、本発明の実施の形態２における情報取得装置を用いて操作者が実行する操作手順を示すフロー図である。なお、以下の説明においては、適宜図８を参酌する。
【０１５５】
図９に示すステップのうち、ステップＡ１１〜Ａ１７、及びステップＡ１９は、それぞれ図５に示したステップＡ１〜Ａ８に対応する。本実施の形態２では、実施の形態１と異なり、操作者はステップＡ１８を実行して、他の情報の入力を行う。
【０１５６】
ステップＡ１８が実行されると、情報取得装置６０は、測定モードで動作し、測定データに、読み取りによって取得された情報と、入力によって取得された情報とを関連付ける。また、ステップＡ１８の実行後も、情報取得装置６０のデータ記憶部１４には、関連付データが記憶される。
【０１５７】
次に、情報取得装置６０の動作について図１０を用いて説明する。図１０は、本発明の実施の形態２における情報取得装置の測定モード時の動作を示すフロー図である。また、本実施の形態２でも、情報取得装置６０を動作させることによって、情報取得方法が実施される。よって、本実施の形態２における情報取得方法の説明も、以下の情報取得装置６０の動作説明に代える。なお、本実施の形態２において、情報取得装置６０は、品質管理モードにおいては、実施の形態１における情報取得装置１０と同様に動作する。よって、品質管理モード時の動作については説明を省略する。また、以下の説明においては、適宜図８及び図９を参酌する。
【０１５８】
図１０に示すステップのうち、ステップＣ１１〜Ｃ１２、及びステップＣ１５〜Ｃ１７は、それぞれ図７に示したステップＣ１〜Ｃ２、及びＣ４〜Ｃ６に対応する。本実施の形態２では、実施の形態１と異なり、ステップＣ１２が実行された後、データ入力受付部１５は、ステップＣ１３を実行し、外部からの情報の入力を受け付ける。続いて、データ処理部１３は、ステップＣ１４において、ステップＣ１１で取得された測定データに、ステップＣ１２で取得された情報とステップＣ１３で受け付けた情報とを関連付ける。
【０１５９】
また、本実施の形態２におけるプログラムは、コンピュータに、図６に示すステップＢ１〜Ｂ６、及び図１０に示すステップＣ１１〜Ｃ１７を実行させるプログラムであれば良い。このプログラムをコンピュータにインストールし、実行することによって、本実施の形態２における情報取得装置６０と情報取得方法とを実現することができる。この場合、コンピュータのＣＰＵは、データ処理部１３として機能し、処理を行なう。また、コンピュータにおける外部接続用インタフェースが、データ取得部１１及び入力受付部１５として機能し、コンピュータに接続されたバーコードリーダ等のコード読取ユニットが、コード読取部１２として機能する。更に、コンピュータに備えられたハードディスク等の記憶装置がデータ記憶部１４として機能する。
【０１６０】
実施の形態１及び２においては、本発明における情報取得装置は、既存の測定装置に対して適用されているが、本発明はこの態様に限定されるものではない。本発明における情報取得装置は、既存の測定装置のみならず、本発明における情報取得装置が使用可能な構成のあらゆる測定装置に対して適用できる。
【０１６１】
また、実施の形態１及び２は、上述した態様に限定されるものではない。例えば、他の態様としては、センサを識別するためのセンサ識別情報を表現しているコードが用いられる態様が挙げられる。この態様では、コード読取部１２は、センサ識別情報を取得する。そして、データ処理部１３は、取得されたセンサ識別情報によって識別されるセンサが測定装置２０に使用可能かどうかを判定する。判定の結果、センサが測定装置に使用可能である場合は、データ処理部１３は、試料に関する測定データについての情報取得装置１０（又は６０）における処理が行われるように制御を行う。センサが測定装置に使用できない場合は、データ処理部１３は、情報取得装置１０（又は６０）における処理が行われないようにする制御、及び外部への通知、のうちいずれか又は両方を実行する。
【０１６２】
また、データ処理部１３は、以下の場合において、試料に関する測定データについての情報取得装置１０（又は６０）における処理が行われないようにする制御、及び外部への通知、のうちいずれか又は両方を実行することができる。具体的には、コード読取部１２がセンサ使用期限を取得できない場合（図６のステップＢ１）、コード読取部１２が基準液使用期限を取得できない場合（図６のステップＢ１）、データ取得部１１が基準液２７に関する測定データを取得できない場合（図６のステップＢ１）、及びデータ取得部１１が試料に関する測定データを取得できない場合（図７のステップＣ１）、のうち少なくとも一つが発生した場合である。
【０１６３】
（実施の形態３）
次に、本発明の実施の形態３について、図１１及び図１２を参照しながら説明する。本実施の形態３では、実施の形態１及び２とは異なり、測定装置、品質管理方法、これらを実現するためのプログラムについて説明する。また、実施の形態３は、測定装置の測定結果が不良となる事態を回避することを主な目的とする。更に、本実施の形態３において、品質管理方法は、試料中の対象成分の測定を行う測定装置に使用される、センサと、対象成分の測定用の基準液とを、品質管理するための方法である。
【０１６４】
最初に、本実施の形態３における測定装置１００の構成について図１１を用いて説明する。図１１は、本発明の実施の形態３における測定装置の構成を示すブロック図である。図１１に示す測定装置１００は、試料中の対象成分の測定と、対象成分の測定用の基準液に関する精度試験とを、センサを用いて実行できるように構成されている。図１１に示すように、測定装置１００は、試料１０６が滴下されたセンサ１０４を用いて、対象成分の測定を実行することができる。また、測定装置１００は、試料１０６の代わりに、基準液１０７が滴下されたセンサ１０５を用いることで、精度試験を実行することもできる。
【０１６５】
「基準液」は、実施の形態１で述べたように、予め設定された量の対象成分を含む液である。よって、本実施の形態３においても、基準液１０７が滴下されたセンサ１０５を用いて、測定装置１００による測定を実行し、得られた測定結果と予め設定された条件とを対比すれば、測定装置１００の測定精度を判定することができる。
【０１６６】
また、図１１に示すように、測定装置１００は、測定部１０１と、コード読取部１０２と、データ処理部１０３とを備えている。測定部１０１は、センサを用いた測定を実行し、測定データを取得する。本実施の形態では、測定部１０１は、患者の状態を測定する医療用の測定ユニット、例えば、血糖値測定ユニットである。
【０１６７】
測定部１０１として血糖値測定ユニットが用いられる場合、試料１０６としては、患者から採取した血液が用いられる。また、基準液１０７としては、設定量のブドウ糖を含むブドウ糖液が用いられる。なお、図１１においても、センサ１０４とセンサ１０５とは、滴下された液が異なる以外は同一のものである。
【０１６８】
また、本実施の形態３において用いられるセンサ及び基準液に対しても、実施の形態１で述べたように、使用期限が設定されている。よって、測定結果を正確なものとするためには、期限切れでないセンサ及び基準液を使用して、測定を行う必要がある。そして、測定装置１００では、期限が切れたセンサ及び基準液が使用されないようにするため、コード読取部１０２及びデータ処理部１０３が備えられている。
【０１６９】
コード読取部１０２は、例えば、光学方式等の方式によってコード１０８を読み取って、コード１０８が表現している情報を取得する。本実施の形態３では、コード１０８としては、図１１に示すように、センサに設定された使用期限（センサ使用期限）を表現しているコードと、基準液に設定された使用期限（基準液使用期限）を表現しているコードとが用いられている。コード読取部１０２は、これらのコードを読み取り、センサ使用期限と基準液使用期限とを取得する。
【０１７０】
本実施の形態３において、コード読取部１０２の読み取り対象となるコードとしては、バーコードに代表される一次元コード、及びＱＲコードに代表される二次元コード等が挙げられる。また、コード読取部１０２としては、実施の形態１でも述べたように、紙等の媒体又は表示画面に表示されているコードの読み取りが可能なコード読取ユニットが挙げられる。図１１の例では、コード１０８としてバーコードが用いられており、コード読取部１０２としては、バーコードリーダ・ユニットが用いられている。
【０１７１】
データ処理部１０３は、コード読取部１０２によって取得されたセンサ使用期限及び基準液使用期限の少なくとも一方が、期限切れであるかどうかを判定する。また、本実施の形態３では、データ処理部１０３は、測定部１０１が、精度試験を実行して、その際の測定データを取得すると、取得された測定データが設定条件を満たすかどうかも判定する。なお、データ処理部１０３は、センサ使用期限及び基準液使用期限の少なくとも一方が、期限切れであるかどうかを判定する機能と、測定データを取得してそれが設定条件を満たすかどうかを判定する機能とのうち、一方のみを有していても良い。
【０１７２】
「設定条件」としては、対象成分が所定の濃度範囲内であること、対象成分の濃度が正確な濃度値であること、等が挙げられる。更に、データ処理部１０３は、センサ使用期限及び基準液使用期限の両方が期限切れでなく、且つ、精度試験時の測定データが設定条件を満たす場合は、測定部１０１に、センサ１０４を用いた測定を実行させる。
【０１７３】
次に、測定装置１００の動作について図１２を用いて説明する。図１２は、本発明の実施の形態３における測定装置の動作を示すフロー図である。また、本実施の形態３では、測定装置１００を動作させることによって、品質管理方法が実施される。よって、本実施の形態３における品質管理方法の説明は、以下の測定装置１００の動作説明に代える。更に、以下の説明においては、適宜図１１を参酌する。
【０１７４】
先ず、図１２に示すように、センサ１０５が測定部１０１にセットされると、データ処理部１０３は、測定部１０１に精度試験を実行させる（ステップＤ１）。次に、データ処理部１０３は、操作者がコード読取部１０２を用いてコードの読み取り操作を実行したことを条件に、コード読取部１０２からセンサ使用期限及び基準液使用期限を取得する（ステップＤ２）。次いで、データ処理部１０３は、測定部１０１から精度試験の結果を取得する（ステップＤ３）。
【０１７５】
次に、データ処理部１０３は、センサ使用期限が期限内かどうかを判定する（ステップＤ４）。具体的には、データ処理部１０３は、ステップＤ２で取得されたセンサ使用期限と現在の日時とを比較して、現在の日時がセンサ使用期限内であるかどうかを判定する。ステップＤ４の判定の結果、期限切れである場合は、データ処理部１０３は、ステップＤ８を実行する。
【０１７６】
一方、ステップＤ４の判定の結果、期限内である場合は、データ処理部１０３は、基準液使用期限が期限内かどうかを判定する（ステップＤ５）。具体的には、データ処理部１０３は、ステップＤ２で取得された基準液使用期限と現在の日時とを比較して、現在の日時が基準液使用期限内であるかどうかを判定する。ステップＤ５の判定の結果、期限切れである場合も、データ処理部１０３は、ステップＤ８を実行する。
【０１７７】
なお、ステップＤ２から下記に説明するステップＤ６までの各ステップの順序は、ステップＤ２の後にステップＤ４及びＤ５が実行され、ステップＤ３の後にステップＤ６が実行されるように設定されていれば良く、この条件が満たされる範囲内で、順序の入れ替えが可能である。例えば、データ処理部１０３は、ステップＤ２、ステップＤ４及びステップＤ５の実行後に、ステップＤ３を実行し、次いでステップＤ６を実行することもできる。また、ステップＤ２の実行後に、ステップＤ５が実行され、その後に、ステップＤ４が実行されても良い。
【０１７８】
また、ステップＤ５の判定の結果、期限内である場合は、データ処理部１０３は、ステップＤ３で得られた精度試験の結果が設定条件を満たしているかどうかを判定する（ステップＤ６）。ステップＤ６の判定の結果、精度試験の結果が設定条件を満たしていない場合も、データ処理部１０３は、ステップＤ８を実行する。
【０１７９】
本実施の形態３においては、測定部１０１は、血糖値測定ユニットであるため、設定条件としては、例えば、血糖値が所定の濃度範囲内にあることが挙げられる。この所定の濃度範囲は、基準液の仕様に応じて適宜設定される。
【０１８０】
一方、ステップＤ６の判定の結果、精度試験の結果が設定条件を満たしている場合は、データ処理部１０３は、品質管理基準が満たされていると判定し、測定装置１００の表示画面（図示せず）に、品質管理基準が満たされている旨を表示する（ステップＤ７）。次に、データ処理部１０３は、測定装置１００による、試料１０６が滴下されたセンサ１０４を用いた対象成分の測定が行われるようにする制御を行う（ステップＤ９）。具体的には、データ処理部１０３は、測定部１０１に対して、センサ１０４を用いた測定を許可し、センサ１０４を用いた測定を実行させる。ステップＤ９の実行により、測定装置１００における処理は終了する。
【０１８１】
また、ステップＤ８においては、データ処理部１０３は、品質管理基準が満たされていないと判定し、測定装置１００の表示画面（図示せず）に、品質管理基準が満たされていない旨を表示する。更に、この処理に加え、データ処理部１０３は、測定装置１００による、試料１０６が滴下されたセンサ１０４を用いた対象成分の測定が行われないようにする制御を行う。具体的には、データ処理部１０３は、測定部１０１の測定機能を停止させる。ステップＤ７が実行された場合も、測定装置１００における処理は終了する。
【０１８２】
また、本実施の形態３におけるプログラムは、コンピュータに、図１２に示すステップＤ１〜Ｄ９を実行させるプログラムであれば良い。このプログラムをコンピュータにインストールし、実行することによって、本実施の形態３における測定装置１００と品質管理方法とを実現することができる。この場合、コンピュータのＣＰＵは、データ処理部１０３として機能し、処理を行なう。また、コンピュータに接続された測定ユニットが、測定部１０１として機能し、コンピュータに接続されたバーコードリーダ等のコード読取ユニットが、コード読取部１０２として機能する。
【０１８３】
以上のように、本実施の形態３によれば、測定装置１００の操作者は、測定結果が不良となる状況下にある場合は、測定を行うことができないため、測定結果が不良となる事態が回避される。また、特許文献１及び２に開示された測定装置を用いた場合は、測定結果が不良となっときに、測定装置に問題があるのか、それともセンサ及び基準液に問題があるのかを特定することは、困難であったが、本実施の形態３によれば、簡単に特定することが可能となる。
【０１８４】
また、本実施の形態３においては、品質管理基準が満たされている旨及び品質管理基準が満たされていない旨は、表示部への表示によって外部に通知されているが、外部への通知は、この態様に限定されず、音の発生、光の点滅等によって行われても良い。特に、品質管理基準が満たされていない旨を通知する場合は、外部の通知は、警告となるように行うのが好ましい。
【０１８５】
また、本実施の形態３では、ステップＤ８及びＤ９の実行後、データ処理部１０３は、例えば、品質管理基準が満たされていると判定してからの経過時間、測定装置１００が精度試験を実行した回数等を特定し、特定した値を記憶部（図示せず）に記憶させることもできる。この場合は、測定装置１００の管理が容易なものとなる。
【０１８６】
また、実施の形態３は、上述した態様に限定されるものではない。例えば、他の態様としては、センサを識別するためのセンサ識別情報を表現しているコードが用いられる態様が挙げられる。この態様では、コード読取部１０２は、センサ識別情報を取得する。そして、データ処理部１０３は、取得されたセンサ識別情報によって識別されるセンサが測定部１０１に使用可能かどうかを判定する。判定の結果、センサが測定部１０１に使用可能である場合は、データ処理部１０３は、測定部１０１に、このセンサを用いた測定を実行させる。一方、判定の結果、センサが測定部１０１に使用可能でない場合は、データ処理部１０３は、測定部１０１の測定機能を停止させる。
【０１８７】
また、データ処理部１０３は、以下の場合において、試料１０６が滴下されたセンサ１０４を用いた対象成分についての測定装置１００による測定が、行われないようにする制御、及び外部への通知、のうちいずれか又は両方を実行することができる。具体的には、コード読取部１０２がセンサ使用期限を取得できない場合（図１２のステップＤ２）、コード読取部１０２が基準液使用期限を取得できない場合（図１２のステップＤ２）、及びデータ取得部１０１が基準液１０７に関する測定データを取得できない場合（図１２のステップＤ３）のうち少なくとも一つが発生した場合である。この場合に、データ処理部１０３は、測定部１０１の測定機能を停止させ、加えて、又は代わりに、操作者への警告を出力する。
【０１８８】
以上、実施の形態を参照して本願発明を説明したが、本願発明は上記実施の形態に限定されるものではない。本願発明の構成及び詳細には、本願発明のスコープ内で当業者が理解し得る様々な変更をすることができる。
【０１８９】
この出願は、２０１０年３月１５日に出願された日本出願特願２０１０−０５８３８２を基礎とする優先権を主張し、その開示の全てをここに取り込む。
【産業上の利用可能性】
【０１９０】
本発明によれば、既存の測定装置で得られた測定データと、それに関連するデータとの関連付けを簡単に行うことができる。本発明は、例えば、医療機関におけるデータ管理、工場における製品の品質管理等に有用である。
【符号の説明】
【０１９１】
１〜４  発光素子（ＬＥＤ：発光ダイオード）
１０  情報取得装置（実施の形態１）
１０ａ  搭載面
１１  データ取得部
１２  コード読取部
１２ａ  コード読取面
１３  データ処理部
１４  データ記憶部
１５  入力受付部
１６  表示部
１６ａ  表示画面
１７、１８、１９  挟持部
２０  測定装置
２１  センサ挿入口
２２  表示画面
２３  通信ケーブルの差し込み口
２４  試料の滴下対象となるセンサ
２５  基準液の滴下対象となるセンサ
２６  試料
２７  基準液
３０  コード表
３１  コード
３２  コードが表現する情報
４０  サーバコンピュータ
５０  ドッキングステーション
５１  通信ケーブル
６０  情報取得装置（実施の形態２）
７０  測定システム（実施の形態１）
７１  測定システム（実施の形態２）
１００  測定装置
１０１  測定部
１０２  コード読取部
１０３  データ処理部
１０４  試料の滴下対象となるセンサ
１０５  基準液の滴下対象となるセンサ
１０６  試料
１０７  基準液
１０８  コード
【図１】
0005632453.tif 000002
【図２】
0005632453.tif 000003
【図３】
0005632453.tif 000004
【図４】
0005632453.tif 000005
【図５】
0005632453.tif 000006
【図６】
0005632453.tif 000007
【図７】
0005632453.tif 000008
【図８】
0005632453.tif 000009
【図９】
0005632453.tif 000010
【図１０】
0005632453.tif 000011
【図１１】
0005632453.tif 000012
【図１２】
0005632453.tif 000013